(57)【要約】【課題】  防護網を必要とせずに、且つ異物、或いは使用者が誤って高速回転しているファン回転翼に触れるのを防ぐことができるファン及びその検出制御モジュールを提供する。【解決手段】  ファン回転翼２１１と流路２１２を有し、前記ファン回転翼２１１が前記流路２１２に収容されるファン本体２１、及び検出ユニットを有する前記ファン本体２１に設置され、前記検出ユニットがその検出範囲に物体を検出した時、フィードバック信号を出力する検出制御モジュール２２を含むファン。【選択図】  図２
2009030588.tif 000002
【特許請求の範囲】
【請求項１】
ファン回転翼と流路を有し、前記ファン回転翼が前記流路に収容されるファン本体、及び
検出ユニットを有する前記ファン本体に設置され、前記検出ユニットがその検出範囲に物体を検出した時、フィードバック信号を出力する検出制御モジュールを含むファン。
【請求項２】
前記検出ユニットの検出範囲は、前記流路を含む請求項１に記載のファン。
【請求項３】
前記検出制御モジュールは、
前記検出ユニットと電気接続され、前記フィードバック信号を警告信号に増幅した後に出力する増幅ユニット、
前記増幅ユニットと電気接続され、前記警告信号に基づいて、停止信号を出力する駆動ユニット、及び
前記駆動ユニットと電気接続され、前記停止信号に基づいて、前記ファン回転翼の回転を停止するモーターを更に含む請求項１に記載のファン。
【請求項４】
前記物体が前記検出範囲を離れた時、前記増幅ユニットは、前記フィードバック信号を安全信号に増幅して、前記駆動ユニットに出力し、且つ前記駆動ユニットは、前記安全信号に基づいて起動信号を出力して、前記ファン回転翼を新たに起動する請求項３に記載のファン。
【請求項５】
前記警告信号、或いは前記安全信号を出力する前記増幅ユニットは、前記フィードバック信号の高低レベルに基づいて異なる請求項３に記載のファン。
【請求項６】
前記増幅ユニットは、演算増幅器を含む請求項３に記載のファン。
【請求項７】
前記駆動ユニットは、マイクロコントローラ、或いは中央プロセッサを含む請求項３に記載のファン。
【請求項８】
前記検出ユニットは、赤外線検出器、超音波検出器、或いは温度検出器である請求項１に記載のファン。
【請求項９】
ファンを制御する検出制御モジュールであって、
前記ファンの流路に設置され、その検出範囲に物体を検出した時にフィードバック信号を出力する検出ユニットを含む検出制御モジュール。
【請求項１０】
前記検出制御モジュールは、
前記検出ユニットと電気接続され、前記フィードバック信号を警告信号に増幅した後に出力する増幅ユニット、
前記増幅ユニットと電気接続され、前記警告信号に基づいて、停止信号を出力する駆動ユニット、及び
前記駆動ユニットと電気接続され、前記停止信号に基づいて、前記ファンの回転を停止するモーターを更に含む請求項９に記載の検出制御モジュール。
【請求項１１】
前記物体が前記検出範囲を離れた時、前記増幅ユニットは、前記フィードバック信号を安全信号に増幅して、前記駆動ユニットに出力し、且つ前記駆動ユニットは、前記安全信号に基づいて起動信号を出力して、前記ファン回転翼を新たに起動する請求項１０に記載の検出制御モジュール。
【請求項１２】
前記警告信号、或いは前記安全信号を出力する前記増幅ユニットは、前記フィードバック信号の高低レベルに基づいて異なる請求項１１に記載の検出制御モジュール。
【請求項１３】
前記増幅ユニットは、演算増幅器を含む請求項９に記載の検出制御モジュール。
【請求項１４】
前記駆動ユニットは、マイクロコントローラ、或いは中央プロセッサを含む請求項９に記載の検出制御モジュール。
【請求項１５】
前記検出ユニットは、赤外線検出器、超音波検出器、或いは温度検出器である請求項９に記載の検出制御モジュール。
【発明の詳細な説明】
【技術分野】
【０００１】
本発明は、ファン及びその検出制御モジュールに関するものである。
【背景技術】
【０００２】
電気、電子製品の発展に伴い、熱放散に対しての需求も相対的に増加され、熱放散技術もコンピューター技術の発展の重点の１つとなっている。ファンは、低コスト、成熟した技術などの長所を有していることから、製品内の熱放散装置として普遍的に用いられている。
【０００３】
図１を参照下さい。従来のファン１は、ファン本体１１と防護網１２を含む。前記ファン本体１１は、ファン回転翼１１１と流路１１２を有し、前記防護網１２は、ネジｓによって前記ファン本体１１の流路上の流路に設置される。
【０００４】
従来技術では、前記防護網１２の設置は、ファン回転翼１１１が高速回転している時に、異物が流路１１２から落ち、高速回転しているファン回転翼１１１と衝突し、ファン回転翼１１１を損壊するのを防ぐためである。また、前記防護網１２は、使用者が誤って回転中のファン回転翼１１１に触れ、けがをするのを同時に防ぐことができる。
【０００５】
しかしながら、前記防護網１２の設置は、前記流路１１２の面積を縮小し、前記ファン１の排気、吸気量を減少させ、前記ファン１の熱放散の効率も低下させる。また、前記防護網１２は、塵の堆積をも生じさせ易く、塵は、前記流路１１２を妨げ、前記ファン１の排気、吸気量を減少させるだけでなく、その他の隣接する部品の汚染も招き、引いては前記防護網１２が不注意で完全にロックしていない状況では、振動で騒音を更に発生する欠点がある。
【０００６】
よって、如何にして、防護網を必要とせずに、且つ異物、或いは使用者が誤って高速回転しているファン回転翼に触れるのを防ぐことができるファン及びその検出制御モジュールを設計するかが重要な課題の１つとなる。
【発明の開示】
【発明が解決しようとする課題】
【０００７】
上述の課題に鑑み、本発明の目的は、防護網を必要とせずに、且つ異物、或いは使用者が誤って高速回転しているファン回転翼に触れるのを防ぐことができるファン及びその検出制御モジュールを提供することである。
【課題を解決するための手段】
【０００８】
よって、上述の目的を達するために、本発明のファンは、ファン本体と検出制御モジュールを含む。前記ファン本体は、ファン回転翼と流路を有し、前記ファン回転翼は、前記流路に収容される。前記検出制御モジュールは、検出ユニットを有し、前記検出ユニットは、前記ファン本体に設置され、前記検出ユニットは、その検出範囲に物体を検出した時に、フィードバック信号を出力する。
【０００９】
また、上述の目的を達するために、本発明の検出制御モジュールは、ファンを制御するのに用いられる。前記検出制御モジュールは、検出ユニットを含む。前記検出ユニットは、前記ファンに設置され、前記検出ユニットは、その検出範囲に物体を検出した時に、フィードバック信号を出力する。
【発明の効果】
【００１０】
本発明のファンとその検出制御モジュールは、前記検出範囲によって、前記ファン本体の前記流路の前記検出ユニットを含み、検出範囲に物体が通過した時、前記検出ユニットは、前記フィードバック信号を前記増幅ユニットに出力し、前記増幅ユニットは、前記警告信号を前記駆動ユニットに出力した後、前記駆動ユニットによって、前記停止信号を前記モーターに出力し、前記モーターは、前記停止信号に基づいて、前記ファン回転翼の回転を停止する。よって、異物、或いは使用者が誤って高速回転している前記ファン回転翼に触れるのを防止できるだけでなく、また、前記検出ユニットは、前記ファンの排気、吸気量を減少させることがない。
【発明を実施するための最良の形態】
【００１１】
本発明についての目的、特徴、長所が一層明確に理解されるよう、以下に実施形態を例示し、図面を参照にしながら、詳細に説明する。
【００１２】
図２と図３を同時に参照下さい。本発明のファン２は、例えば、軸流式ファン、或いは遠心式ファンであり、本実施例では、軸流式ファンを例に説明する。前記ファン２は、ファン本体２１と検出制御モジュール２２を含む。
【００１３】
前記ファン本体２１は、ファン回転翼２１１と流路２１２を有し、前記ファン回転翼２１１は、前記流路２１２に収容され、前記流路２１２の２つの端は、それぞれ吸気口と排気口である。
【００１４】
前記検出制御モジュール２２は、検出ユニット２２１を有し、前記検出ユニット２２１は、赤外線検出器であり、前記流路２１２の周囲に設置されることができる。また、図３に示されるように、前記検出制御モジュール２２は、増幅ユニット２２２、駆動ユニット２２３とモーター２２４を更に含む。前記増幅ユニット２２２は、演算増幅器を含み、前記検出ユニット２２１と電気接続する。前記駆動ユニット２２３は、マイクロコントローラ、或いは中央プロセッサを含み、前記増幅ユニット２２２と電気接続する。前記モーター２２４は、前記駆動ユニット２２３と電気接続し、前記ファン回転翼２１１の回転を制御する。
【００１５】
また、図３と図４を同時に参照下さい。前記検出制御モジュール２２の前記検出ユニット２２１は、複数の検出光線Ｌを放射し、前記検出光線Ｌは、赤外線を例に説明する。前記検出光線Ｌは、検出範囲Ｒを形成し、前記検出範囲Ｒは、前記流路２１２を含む。注意すべきことは、検出方式が数多くあることから、例えば、超音波検出器、或いは温度検出器を使用することによって、測定することができるが、ここでは上述の検出光線を例に説明をしただけで、本発明の実施例を限定するものではない。
【００１６】
よって、前記ファン回転翼２１１が回転を始めた時に、仮に物体Ｐが前記検出範囲Ｒを通過した場合、前記物体Ｐに放射された前記検出光線Ｌは、前記検出ユニット２２１に反射し返され、前記検出ユニット２２１には、前記検出範囲Ｒを通過した前記物体Ｐを検出させる。この時、前記検出ユニット２２１が出力した前記フィードバック信号Ｆは、低（ｌｏｗ）レベルから高（ｈｉｇｈ）レベルに変換される。続いて前記増幅ユニット２２２は、高レベルの前記フィードバック信号Ｆを受け、それを警告信号Ｗに増幅し、前記駆動ユニット２２３に出力する。前記駆動ユニット２２３は、前記警告信号Ｗに基づいて、停止信号Ｓを前記モーター２２４に出力し、前記モーター２２４は、前記停止信号Ｓに基づいて、前記ファン回転翼２１１の回転を停止し、前記物体Ｐが回転中の前記ファン回転翼２１１に衝突し、前記物体Ｐ、或いは前記ファン回転翼２１１が損傷するのを避ける。
【００１７】
反対に、前記物体Ｐが前記検出範囲Ｒから取り除かれた場合、前記検出光線Ｌは、前記検出ユニット２２１に反射し返されることがないため、前記検出ユニット２２１が出力した前記フィードバック信号Ｆは、高レベルから低レベルに変換される。続いて、前記増幅ユニット２２２は、低レベルの前記フィードバック信号Ｆを受け、それを安全信号Ｃに増幅し、前記駆動ユニット２２３に出力する。前記駆動ユニット２２３は、前記安全信号Ｃに基づいて、起動信号Ｔを前記モーター２２４に出力し、前記モーター２２４は、前記起動信号Ｔに基づいて、前記ファン回転翼２１１を新たに起動する。
【００１８】
上述の前記フィードバック信号Ｆの判断方式を例示したが、これは本発明を限定するものではなく、実際の必要に基づいて、適合した前記フィードバック信号Ｆと判断のメカニズムを設計することができ、これを限定するものではない。
【００１９】
上述をまとめると、本発明のファンとその検出制御モジュールは、前記検出範囲によって、前記ファン本体の前記流路の前記検出ユニットを含み、前記検出範囲に物体が通過した時、前記検出ユニットは、前記フィードバック信号を前記増幅ユニットに出力し、前記増幅ユニットは、前記警告信号を前記駆動ユニットに出力した後、前記駆動ユニットによって、前記停止信号を前記モーターに出力し、前記モーターは、前記停止信号に基づいて、前記ファン回転翼の回転を停止する。よって、異物、或いは使用者が誤って高速回転している前記ファン回転翼に触れるのを防止できるだけでなく、また、前記検出ユニットは、前記ファンの排気、吸気量を減少させることがない。
【００２０】
以上、本発明の好適な実施例を例示したが、これは本発明を限定するものではなく、本発明の精神及び範囲を逸脱しない限りにおいては、当業者であれば行い得る少々の変更や修飾を付加することは可能である。従って、本発明が保護を請求する範囲は、特許請求の範囲を基準とする。
【図面の簡単な説明】
【００２１】
【図１】従来のファンの概略図である。
【図２】本発明に基づいたファンの概略図である。
【図３】本発明に基づいたファンの検出制御モジュールのブロック図である。
【図４】本発明に基づいたファンの検出制御モジュールの作業状態の概略図である。
【符号の説明】
【００２２】
１、２  ファン
１１、２１  ファン本体
１１１、２１１  ファン回転翼
１１２、２１２  流路
１２  防護網
２２  検出制御モジュール
２２１  検出ユニット
２２２  増幅ユニット
２２３  駆動ユニット
２２４  モーター
ｓ  ネジ
Ｌ  検出光線
Ｒ  検出範囲
Ｐ  物体
Ｆ  フィードバック信号
Ｗ  警告信号
Ｓ  停止信号
Ｃ  安全信号
Ｔ  起動信号
【図１】
2009030588.tif 000003
【図２】
2009030588.tif 000004
【図３】
2009030588.tif 000005
【図４】
2009030588.tif 000006